(57)【要約】電子部材と、電子部材の外側に配置された際に電子部材に対して外向きとなる方向に突出した筒状の締結部を有するプレートと、締結部の外径よりも大きな径の孔が形成され、孔に締結部が挿入されるケースと、孔に締結部が挿入された状態で、ケースの外側から締結部に取り付けられる締結部材と、を備え、締結部の軸線上に電子部材の一部分が存在する。
2014122699.tif 000002
【特許請求の範囲】
【請求項１】
電子部材と、
前記電子部材の外側に配置された際に前記電子部材に対して外向きとなる方向に突出した筒状の締結部を有するプレートと、
前記締結部の外径よりも大きな径の孔が形成され、前記孔に前記締結部が挿入されるケースと、
前記孔に前記締結部が挿入された状態で、前記ケースの外側から前記締結部に取り付けられる締結部材と、を備え、
前記締結部の軸線上に前記電子部材の一部分が存在する、
電子機器。
【請求項２】
前記締結部材は、前記締結部に設けられた孔に取り付けられ、
前記締結部に設けられた孔の軸線上に前記電子部材の一部分が存在する、
請求項１に記載の電子機器。
【請求項３】
前記締結部に設けられた孔の周囲には、前記締結部材を内部に導くテーパーが形成されている、
請求項２に記載の電子機器。
【請求項４】
前記ケースは、フロントケースとリアケースとを有し、
前記フロントケースと前記リアケースとは、前記締結部材により前記締結部に取り付けられるための孔を有する、
請求項１に記載の電子機器。
【請求項５】
前記プレートの端部と前記ケースの端部とは、互いに向かい合う方向を向いており、
前記ケースの端部の内側にテーパーが形成されており、
当該ケースの前記テーパーが前記プレートの前記締結部を乗り越えることで、前記ケースの前記孔が前記締結部に嵌め合わされる、
請求項１に記載の電子機器。
【請求項６】
画像を表示するモニターであって、前記電子機器の１つの面上において、前記面の中央から一方向に偏った位置に前記モニターの中央が位置するように配置されたモニター、をさらに備え、
前記締結部は、前記プレート上において、前記プレートの中央から前記一方向と同一の方向に偏った位置に設けられている、
請求項１に記載の電子機器。
【請求項７】
前記ケースは、被写体を結像する光学系を含むレンズ鏡筒が配置される第１の空間と、前記電子機器を駆動するための電力を供給する電源部が配置される第２の空間と、を形成し、
前記プレートは、前記ケースに組み込まれた際に、前記第２の空間よりも前記第１の空間に近い位置に配置される部分に前記締結部を有する、
請求項１に記載の電子機器。
【請求項８】
前記プレートの内側に配置され、前記締結部材によって前記プレートが内側へ移動することを規制する規制部材を、さらに備える、
請求項１に記載の電子機器。
【発明の詳細な説明】
【技術分野】
【０００１】
本開示は、電子機器に関する。
【背景技術】
【０００２】
従来の電子機器は、例えば、特許文献１に記載されている。特許文献１では、内蔵フレームを下カバーに対してネジで固定する際、内蔵フレームの位置決め精度を向上させることを目的とした電子機器が開示されている。
【先行技術文献】
【特許文献】
【０００３】
【特許文献１】特開２００６−０８６２２０号公報
【発明の概要】
【０００４】
ところで、特許文献１は、位置決め精度を向上させる技術を開示しているが、電子機器の内部スペースの有効活用を考慮したものとはいえない。
【０００５】
そこで、本開示では、電子機器の内部スペースを有効活用することで、電子機器全体の小型化を実現できる技術を提供することを目的とする。
【０００６】
本開示の電子機器は、電子部材と、電子部材の外側に配置された際に電子部材に対して外向きとなる方向に突出した筒状の締結部を有するプレートと、締結部の外径よりも大きな径の孔が形成され、孔に締結部が挿入されるケースと、孔に締結部が挿入された状態で、ケースの外側から締結部に取り付けられる締結部材と、を備え、締結部の軸線上に電子部材の一部分が存在する。
【０００７】
これによって、プレートに設けられた締結部は、電子部材に対して外向きに設けられる。このため、プレートの内側に配置された電子部材は、よりプレートに近づけて配置される。その結果、電子機器全体の小型化が実現される。
【図面の簡単な説明】
【０００８】
【図１】図１は、デジタルカメラを前面側斜め方向から示す斜視図である。
【図２】図２は、デジタルカメラを背面側斜め方向から示す斜視図である。
【図３】図３は、デジタルカメラを前面側斜め方向から示す分解斜視図である。
【図４】図４は、デジタルカメラを背面側斜め方向から示す分解斜視図である。
【図５】図５は、図３のＡ領域の一部拡大図である。
【図６】図６は、図５に対してフロントケースを板金に組み付けた図である。
【図７】図７は、フロントケースと板金との関係を示す斜視図である。
【図８】図８は、図７のＢ領域の一部拡大図である。
【図９】図９は、図７の部分断面図である。
【図１０】図１０は、図９のＣ領域の一部拡大図である。
【図１１】図１１は、図７の１１−１１断面図である。
【図１２】図１２は、図１１のＤ領域の一部拡大図である。
【図１３】図１３は、図１の１３−１３断面図である。
【図１４】図１４は、図１３のＥ領域の一部拡大図である。
【図１５】図１５は、デジタルカメラを背面側斜め方向から示す斜視図である。
【図１６】図１６は、デジタルカメラを前面側斜め方向から示す斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって請求の範囲に記載の主題を限定することを意図するものではない。
【００１１】
（実施の形態１）
以下、実施の形態１を図１〜１６を用いて説明する。実施の形態１では、デジタルカメラ１００を例にして説明を行う。
【００１２】
［１．デジタルカメラ１００の外観構成］
デジタルカメラ１００の外観構成について図１、２を用いて説明する。図１は、デジタルカメラ１００を前面側斜め方向から示す斜視図である。図２は、デジタルカメラ１００を背面側斜め方向から示す斜視図である。なお、デジタルカメラ１００の前面側とは、デジタルカメラ１００を基準として被写体側をいう。また、デジタルカメラ１００の背面側とは、デジタルカメラ１００を基準として撮影者側をいう。
【００１３】
デジタルカメラ１００は、レンズ鏡筒６１０、モニター５００、操作部材５１０、フロントケース３１０及びリアケース３２０を有する。レンズ鏡筒６１０、モニター５００、及び操作部材５１０は、フロントケース３１０及びリアケース３２０によりデジタルカメラ１００の内部に保持されている。また、フロントケース３１０及びリアケース３２０の一方の端部は、ネジ２１０及びネジ２２０で固定されている。また、フロントケース３１０及びリアケース３２０の他方の端部は不図示のネジにより固定されている。
【００１４】
レンズ鏡筒６１０は、デジタルカメラ１００の前面側から見て右側に偏った位置に配置されている。これは、デジタルカメラ１００の前面側から見て左側に偏った位置に不図示のリチウムイオン電池を装着するための空間が設けられているためである。また、モニター５００は、デジタルカメラ１００の背面側から見て左側に偏った位置に配置されている。これは、デジタルカメラ１００の後方から見て右側に偏った位置には操作部材５１０が配置されているためである。
【００１５】
［２．デジタルカメラ１００の内部構成］
各ケース（フロントケース３１０及びリアケース３２０）、プレート３３０及び本体部品４１０の構成について、図３〜６を用いて説明する。図３は、デジタルカメラ１００を前面側斜め方向から示す分解斜視図である。図４は、デジタルカメラ１００を背面側斜め方向から示す分解斜視図である。図５は、図３のＡ領域の一部拡大図である。図６は、図５に対してフロントケース３１０をプレート３３０に組み付けた図である。
【００１６】
図３、４に示すように、デジタルカメラ１００は、フロントケース３１０、本体部品４１０、プレート３３０、モニター５００、及びリアケース３２０に分解できる。
【００１７】
フロントケース３１０は、デジタルカメラ１００の前面側に設けられるケースである。フロントケース３１０は、アルミニウム合金で構成される。しかしながら、必ずしもこのような材料により構成される必要はない。例えば、フロントケース３１０は、樹脂等で構成されてもよい。フロントケース３１０には、レンズ鏡筒６１０を配置する孔がデジタルカメラ１００の前面側から見て右側に偏った位置に形成されている。また、フロントケース３１０は、孔部３１１及び孔部３１２を有する。
【００１８】
リアケース３２０は、デジタルカメラ１００の背面側に設けられるケースである。リアケース３２０は、アルミニウムや樹脂等の材料で構成できる。また、リアケース３２０には、モニター５００を配置する孔がデジタルカメラ１００の背面側から見て左側に偏った位置に形成されている。また、リアケース３２０は、孔部３２１及び孔部３２２を有する。
【００１９】
プレート３３０は、本体部品４１０の背面側に配置されている。プレート３３０は、ブリキで構成される。しかしながら、必ずしもこのような材料により構成される必要はない。例えば、プレート３３０は、アルミニウム等の金属や樹脂等で構成されてもよい。プレート３３０は、本体部品４１０を覆うように両端部が折れ曲がっている。図４に示すように、プレート３３０は、モニター５００を支持している。モニター５００は、プレート３３０に支持されているので、外部から撮影者等に押圧されたとしても撓みにくい。その結果、モニター５００は割れにくくなっている。また、プレート３３０は、フロントケース３１０とリアケース３２０の間に設けられる電子部品で発生する熱を逃がすために用いられている。更に、プレート３３０は、電子部品のグランドとして利用されている。加えて、プレート３３０は、デジタルカメラ１００全体の剛性を向上するためにも用いられている。
【００２０】
プレート３３０には、図３〜５に示すように、ネジ孔であるバーリングタップ３３１及びバーリングタップ３３２が形成されている。ここで、バーリングタップとは、プレート３３０が本体部品４１０の外側に配置された際に本体部品４１０に対して外向きとなる方向に突出した筒状の締結部の一例である。
【００２１】
バーリングタップの加工方法は次の通りである。まず、プレート３３０のうちバーリングタップを形成したい位置にバーリング加工を施す。ここで、バーリング加工とは、板金等の材料の加工方法である。具体的には、まず、板金の一部分に孔が開けられる。そして、孔に対して孔の内径よりも大きな外径の棒が挿入される。その結果、板金に対してフランジが形成される。このような、板金等に対してフランジを形成する加工方法をバーリング加工という。そして、プレート３３０のうちバーリング加工が施されて突出した部分の内側にタップ加工を施すことで内部にネジ山を切る。これにより、バーリングタップが形成される。
【００２２】
ここで、プレート３３０の外側には、図６に示すように、フロントケース３１０が配置される。この場合には、プレート３３０のバーリングタップ３３１はフロントケース３１０の孔部３１１に遊びがある状態で挿入される。また、図６には示されていないが、プレート３３０のバーリングタップ３３２は、フロントケース３１０の孔部３１２に遊びがある状態で挿入される。なお、バーリングタップ３３１、及びバーリングタップ３３２は、必ずしも遊びがある状態で孔部３１１及び孔部３１２に挿入される必要はない。例えば、バーリングタップ３３１、及びバーリングタップ３３２は、遊びのない状態で孔部３１１及び孔部３１２に挿入されてもよい。
【００２３】
また、フロントケース３１０の外側には、リアケース３２０が配置される。この場合には、リアケース３２０の孔部３２１の軸線とプレート３３０のバーリングタップ３３１の軸線とが実質的に重なる位置に配置される。また、リアケース３２０の孔部３２２の軸線とプレート３３０のバーリングタップ３３２の軸線とが実質的に重なる位置に配置される。そして、リアケース３２０の外側から、ネジ２１０及びネジ２２０が螺着される。つまり、フロントケース３１０とリアケース３２０とは、プレート３３０上において、ネジ２１０及びネジ２２０によって、共締めされている。
【００２４】
なお、本体部品４１０は、電子部材の一例である。プレート３３０は、プレートの一例である。フロントケース３１０は、ケースの一例である。ネジ２１０は、締結部材の一例である。
【００２５】
［３．フロントケース３１０とプレート３３０の構成の詳細］
フロントケース３１０とプレート３３０の構成の詳細について図７〜１２を用いて説明する。図７は、フロントケース３１０とプレート３３０との関係を示す斜視図である。図７においては、フロントケース３１０及びプレート３３０の２部品が組み立てられている。図８は、図７のＢ領域の一部拡大図である。図９は、図７の部分断面図である。図９は、フロントケース３１０の中央付近から背面側斜め方向に向かって切り欠いた断面図である。図１０は、図９のＣ領域の一部拡大図である。図１１は、図７の１１−１１断面図である。図１２は、図１１のＤ領域の一部拡大図である。
【００２６】
図７、８に示すように、フロントケース３１０は、プレート３３０に対して、外側から組み付けられる。
【００２７】
図９、１０に示すように、プレート３３０には、バーリングタップ３３１が、プレート３３０とフロントケース３１０とで形成される内部空間に対して外向きに形成されている。バーリングタップ３３１の内側には、ネジ２１０を螺着可能なネジ山が形成されているネジ面３３１ｄが設けられている。但し、図９、１０においては、便宜上ネジ山を省略して表現している。バーリングタップ３３１は、ネジ面３３１ｄ以外に、側面３３１ｃ、テーパー面３３１ｅ、天面３３１ｆで構成されている。テーパー面３３１ｅは、ネジ２１０をネジ面３３１ｄに導くために形成されている。
【００２８】
一方、フロントケース３１０には、図９、１０に示すように、孔部３１１が背面側に突出して形成されている。孔部３１１は、底面３１１ａ、天面３１１ｂ、及び内側側面３１１ｃで構成されている。内側側面３１１ｃで構成される孔の内径は、側面３３１ｃで構成されるバーリングタップ３３１の外径よりも大きい。孔部３１１の底面３１１ａは、プレート３３０の外周面と接する位置に配置される。
【００２９】
更に、孔部３１１は、図１１、１２に示すように、テーパー３１１ｄを背面側の端部で、かつ、底面３１１ａ側に形成している。これは、バーリングタップ３３１が孔部３１１に挿入される際に、孔部３１１がバーリングタップ３３１を乗り越えることを容易にするために設けられている。
【００３０】
加えて、孔部３１１の孔の軸線は、背面側方向に傾いている。同様にバーリングタップ３３１の孔の軸線は、背面側方向に傾いている。これにより、プレート３３０とフロントケース３１０とがそれぞれ離れる方向に力を受けた場合、底面３１１ａとプレート３３０の外周面とが押し付けられ、より強い摩擦力が生じる。また、側面３３１ｃと内側側面３１１ｃとが当接する。その結果、プレート３３０とフロントケース３１０とが容易には外れないこととなる。
【００３１】
［４．効果等］
以下、本開示の技術をデジタルカメラ１００に適用することによる効果等を図１３〜１６を用いて説明する。図１３は、図１の１３−１３断面図である。図１４は、図１３のＥ領域の一部拡大図である。図１５は、デジタルカメラを背面側斜め方向から示す斜視図である。図１６は、デジタルカメラを前面側斜め方向から示す斜視図である。
【００３２】
図１３、１４に示すように、本開示のデジタルカメラ１００は、本体部品４１０と、プレート３３０と、フロントケース３１０と、ネジ２１０と、を備える。本体部品４１０は、デジタルカメラ１００の内部に収容される。プレート３３０は、本体部品４１０の外側に配置された際に本体部品４１０に対して外向きとなる方向に突出した筒状のバーリングタップ３３１を有する。フロントケース３１０には、バーリングタップ３３１の外径よりも大きな径の孔部３１１が形成され、孔部３１１にバーリングタップ３３１が挿入される。ネジ２１０は、孔部３１１にバーリングタップ３３１が挿入された状態で、フロントケース３１０の外側からバーリングタップ３３１に取り付けられる。そして、バーリングタップ３３１の軸線上に本体部品４１０の一部分であるコンデンサ４１１等が存在する。
【００３３】
これにより、本開示のデジタルカメラ１００は、プレート３３０と本体部品４１０とを比較的近接した位置に配置できる。図１３、１４に示す例では、本体部品４１０のうち特にコンデンサ４１１とプレート３３０とを比較的近接した位置に配置できる。なお、コンデンサ４１１は、バーリングタップ３３１に設けられた孔の軸線上に存在するといえる。また、本開示のデジタルカメラ１００は、組み立て途中において、孔部３１１にバーリングタップ３３１を挿入することにより、本体部品４１０を挟み込んだ状態でフロントケース３１０とプレート３３０とを仮固定できる。結果として、本開示のデジタルカメラ１００は、組み立ての作業性を向上できる。
【００３４】
次に、プレート３３０と本体部品４１０とを比較的近接した位置に配置できる理由について説明する。仮に、プレート３３０に設けられたバーリングタップが本体部品４１０に対して内向きとなる方向に突出していたとする。この場合には、プレート３３０と本体部品４１０とは、少なくともプレート３３０のバーリングタップの長さの分だけ離れた位置に配置されることとなる。その結果、装置全体が大型化してしまう。一方、本開示のデジタルカメラ１００において、筒状のバーリングタップ３３１は、本体部品４１０に対して外向きとなる方向に突出している。そして、外向きに突出したバーリングタップ３３１は、内側側面３１１ｃにより構成される孔の内側に配置される。つまり、バーリングタップ３３１の突出方向の長さは、フロントケース３１０の厚み内に収まる。従って、筐体の厚みをあまり厚くすることなく、プレート３３０と本体部品４１０とを比較的近接した位置に配置できる。
【００３５】
また、さらに具体的には、図１３，１４に示すように、本開示のデジタルカメラ１００において、ネジ２１０は、バーリングタップ３３１に設けられた孔に取り付けられ、バーリングタップ３３１に設けられた孔の軸線上に本体部品４１０の一部分であるコンデンサ４１１が存在する。
【００３６】
これにより、本開示のデジタルカメラ１００は、プレート３３０と本体部品４１０とを比較的近接した位置に配置でき、かつ、プレート３３０と本体部品４１０とを比較的強固に固定できる。
【００３７】
次に、プレート３３０と本体部品４１０とを比較的近接した位置に配置でき、かつ、プレート３３０と本体部品４１０とを比較的強固に固定できる理由について説明する。仮に、プレート３３０に設けられたバーリングタップが本体部品４１０に対して内向きとなる方向に突出していたとする。この場合には、ネジ２１０を締め付けるために必要なネジ山が内向きに設けられることとなる。フロントケース３１０とプレート３３０とを十分にネジ２１０で締め付けるためには、十分なネジ山を確保する必要がある。十分なネジ山を確保するためには、バーリングタップの長さを比較的長く確保することが必要となる。その結果、バーリングタップが長くなり、装置全体が大型化してしまう。一方、本開示のデジタルカメラ１００において、孔を設けられたバーリングタップ３３１は、本体部品４１０に対して外向きとなる方向に突出している。そして、外向きに突出したバーリングタップ３３１は、内側側面３１１ｃにより構成される孔の内側に配置される。従って、バーリングタップの長さを比較的長く確保したとしても、筐体の厚みをあまり厚くすることなく、フロントケース３１０とプレート３３０とを十分にネジ２１０で締め付けることができる。
【００３８】
また、さらに具体的には、図１３、１４に示すように、本開示のデジタルカメラ１００は、フロントケース３１０とリアケース３２０とを有する。また、フロントケース３１０とリアケース３２０とは、ネジ２１０によりバーリングタップ３３１に取り付けられるための孔を有する。
【００３９】
これにより、本開示のデジタルカメラ１００は、組み立てる際に、プレート３３０をフロントケース３１０に組み付けた後、ネジ２１０を螺着する迄の間に、フロントケース３１０でプレート３３０を仮固定できる。
【００４０】
また、さらに具体的には、図１４に示すように、本開示のデジタルカメラ１００において、プレート３３０の端部とフロントケース３１０の端部とは、互いに向かい合う方向を向いている。そして、フロントケース３１０の端部の内側にテーパー３１１ｄが形成されている。フロントケース３１０を前面側から背面側に移動させることで、フロントケース３１０のテーパー３１１ｄがプレート３３０のバーリングタップ３３１を乗り越える。これにより、フロントケース３１０の孔にバーリングタップ３３１が遊びを有した状態で挿入される。
【００４１】
これにより、プレート３３０のバーリングタップ３３１に対して、フロントケース３１０の孔部３１１を掛け合わせる際において、テーパー３１１ｄでバーリングタップ３３１の乗り越えが容易になるように構成している。したがって、フロントケース３１０に対してプレート３３０を組み付ける際に、容易に組み付けることができる。
【００４２】
また、さらに具体的には、図１０に示すように、本開示のデジタルカメラ１００において、バーリングタップ３３１に設けられた孔の周囲には、ネジ２１０を内部に導くテーパー面３３１eが形成されている。
【００４３】
これにより、デジタルカメラ１００を組み立てる際に、バーリングタップ３３１に設けられた孔にネジ２１０を容易に挿入できる。
【００４４】
また、さらに具体的には、図１５に示すように、本開示のデジタルカメラ１００は、画像を表示するモニター５００であって、デジタルカメラ１００の１つの面上において、面の中央（図１５に示すα）から一方向（図１５の例では左）に偏った位置にモニター５００の中央（図１５に示すβ）が位置するように配置されたモニター５００をさらに備える。そして、バーリングタップ３３１は、プレート３３０上において、プレート３３０の中央からモニター５００と同一の方向（図１５の例では左）に偏った位置に設けられている。
【００４５】
これにより、プレート３３０のうち、位置決め精度が求められるモニター５００が配置される位置の近傍で、バーリングタップ３３１により、フロントケース３１０とプレート３３０との仮固定を行える。その結果、デジタルカメラ１００は、モニター５００の位置決め精度を向上できる。
【００４６】
また、さらに具体的には、図１６に示すように、本開示のデジタルカメラ１００は、フロントケース３１０とリアケース３２０とからなるケース全体は、被写体を結像する光学系を含むレンズ鏡筒６１０が配置される第１の空間Ｇと、デジタルカメラ１００を駆動するための電力を供給するリチウムイオン電池が配置される第２の空間Ｆと、を形成する。プレート３３０は、フロントケース３１０とリアケース３２０とからなるケース全体に組み込まれた際に、第２の空間よりも第１の空間に近い位置に配置される部分にバーリングタップ３３１を有する。
【００４７】
これにより、プレート３３０のうち、位置決め精度が求められるレンズ鏡筒６１０が配置される位置の近傍で、バーリングタップ３３１により、フロントケース３１０とプレート３３０との仮固定を行える。その結果、デジタルカメラ１００は、レンズ鏡筒６１０の位置決め精度を向上できる。
【００４８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００４９】
そこで、以下、他の実施の形態を例示する。
【００５０】
実施の形態１では、締結部の一例として、孔を設けたバーリングタップ３３１、バーリングタップ３３２を例示した。しかしながら、必ずしもこのような構成には限定されない。例えば、締結部は、孔を設けていない突起のようなものであってもよい。これにより、締結部に対して孔を空ける加工の手間を省ける。この場合には、ネジ２１０、ネジ２２０の代わりに、突起を覆うキャップのようなものを用いてもよい。若しくは、ネジ２１０、ネジ２２０を用いずに、単にプレート３３０の剛性を利用し、プレート３３０とフロントケース３１０とが外れないように構成してもよい。要するに、締結部は、プレート３３０が本体部品４１０の外側に配置された際に本体部品４１０に対して外向きとなる方向に突出していればよい。
【００５１】
また、実施の形態１では、バーリングタップ３３１及びバーリングタップ３３２は、プレート３３０のうち、デジタルカメラ１００の前面から見て右側の端部付近に配置されている。しかしながら、必ずしもこのような構成には限定されない。例えば、バーリングタップ３３１及びバーリングタップ３３２は、プレート３３０のうち、デジタルカメラ１００の前面から見て上側の端部付近や、下側の端部付近であって、モニター５００と同一の方向に偏った位置に配置されてもよい。これにより、デジタルカメラ１００の水平方向の長さをより短くできる。この場合には、孔部３１１、孔部３１２、孔部３２１、及び孔部３２２もデジタルカメラ１００の前面から見て上側の端部付近や、下側の端部付近であって、モニター５００と同一の方向に偏った位置に配置されることとなる。要するに、バーリングタップは、プレート３３０上において、プレート３３０の中央からモニター５００と同一の方向に偏った位置に設けられればよい。
【００５２】
また、実施の形態１では、プレート３３０に設けられたバーリングタップ３３１をフロントケース３１０に設けられた孔部３１１に挿入する構成を例示した。しかしながら、必ずしもこのような構成には限定されない。例えば、プレート３３０に設けられたバーリングタップ３３１をリアケースに設けられた孔部に挿入するような構成であってもよい。この場合には、リアケースの外側にフロントケースが配置される。そして、フロントケースの外側からネジが螺着される。
【００５３】
また、実施の形態１では、バーリングタップ３３１を本体部品４１０に対して外向きに形成した。しかしながら、必ずしもこのような構成に限定されない。例えば、プレート３３０の内側への移動を規制する規制部材を設けるようにしてもよい。これにより、ネジ２１０を外側から螺着する際、バーリングタップ３３１が内側に押し付けられ、プレート３３０の形状が変化してしまう可能性を低減できる。
【００５４】
以上のように、本開示における技術の例示として、実施の形態を説明した。そのために、添付図面および詳細な説明を提供した。
【００５５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５６】
また、上述の実施の形態は、本開示における技術を例示するためのものであるから、請求の範囲またはその均等の範囲において種々の変更、置き換え、付加、省略などを行うことができる。
【産業上の利用可能性】
【００５７】
本開示は、デジタルスチルカメラ、ミラーレスカメラ、一眼レフカメラ、スマートフォン等に適用可能である。
【符号の説明】
【００５８】
１００  デジタルカメラ
２１０  ネジ
２２０  ネジ
３１０  フロントケース
３２０  リアケース
３３０  プレート
３３１  バーリングタップ
３３２  バーリングタップ
４１０  本体部品
３１１  孔部
３１２  孔部
３２１  孔部
３２２  孔部
４１１  コンデンサ
５００  モニター
５１０  操作部材
６１０  レンズ鏡筒
【図１】
2014122699.tif 000003
【図２】
2014122699.tif 000004
【図３】
2014122699.tif 000005
【図４】
2014122699.tif 000006
【図５】
2014122699.tif 000007
【図６】
2014122699.tif 000008
【図７】
2014122699.tif 000009
【図８】
2014122699.tif 000010
【図９】
2014122699.tif 000011
【図１０】
2014122699.tif 000012
【図１１】
2014122699.tif 000013
【図１２】
2014122699.tif 000014
【図１３】
2014122699.tif 000015
【図１４】
2014122699.tif 000016
【図１５】
2014122699.tif 000017
【図１６】
2014122699.tif 000018
【手続補正書】
【提出日】平成27年8月3日(2015.8.3)
【手続補正１】
【補正対象書類名】明細書
【補正対象項目名】全文
【補正方法】変更
【補正の内容】
【発明の詳細な説明】
【技術分野】
【０００１】
本開示は、電子機器に関する。
【背景技術】
【０００２】
従来の電子機器は、例えば、特許文献１に記載されている。特許文献１では、内蔵フレームを下カバーに対してネジで固定する際、内蔵フレームの位置決め精度を向上させることを目的とした電子機器が開示されている。
【先行技術文献】
【特許文献】
【０００３】
【特許文献１】特開２００６−０８６２２０号公報
【発明の概要】
【０００４】
ところで、特許文献１は、位置決め精度を向上させる技術を開示しているが、電子機器の内部スペースの有効活用を考慮したものとはいえない。
【０００５】
そこで、本開示では、電子機器の内部スペースを有効活用することで、電子機器全体の小型化を実現できる技術を提供することを目的とする。
【０００６】
本開示の電子機器は、電子部材と、電子部材の外側に配置された際に電子部材に対して外向きとなる方向に突出した筒状の締結部を有するプレートと、締結部の外径よりも大きな径の孔が形成され、孔に締結部が挿入されるケースと、孔に締結部が挿入された状態で、ケースの外側から締結部に取り付けられる締結部材と、を備え、締結部の軸線上に電子部材の一部分が存在する。
【０００７】
これによって、プレートに設けられた締結部は、電子部材に対して外向きに設けられる。このため、プレートの内側に配置された電子部材は、よりプレートに近づけて配置される。その結果、電子機器全体の小型化が実現される。
【図面の簡単な説明】
【０００８】
【図１】図１は、デジタルカメラを前面側斜め方向から示す斜視図である。
【図２】図２は、デジタルカメラを背面側斜め方向から示す斜視図である。
【図３】図３は、デジタルカメラを前面側斜め方向から示す分解斜視図である。
【図４】図４は、デジタルカメラを背面側斜め方向から示す分解斜視図である。
【図５】図５は、図３のＡ領域の一部拡大図である。
【図６】図６は、図５に対してフロントケースを板金に組み付けた図である。
【図７】図７は、フロントケースと板金との関係を示す斜視図である。
【図８】図８は、図７のＢ領域の一部拡大図である。
【図９】図９は、図７の部分断面図である。
【図１０】図１０は、図９のＣ領域の一部拡大図である。
【図１１】図１１は、図７の１１−１１断面図である。
【図１２】図１２は、図１１のＤ領域の一部拡大図である。
【図１３】図１３は、図１の１３−１３断面図である。
【図１４】図１４は、図１３のＥ領域の一部拡大図である。
【図１５】図１５は、デジタルカメラを背面側斜め方向から示す斜視図である。
【図１６】図１６は、デジタルカメラを前面側斜め方向から示す斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって請求の範囲に記載の主題を限定することを意図するものではない。
【００１１】
（実施の形態１）
以下、実施の形態１を図１〜１６を用いて説明する。実施の形態１では、デジタルカメラ１００を例にして説明を行う。
【００１２】
［１．デジタルカメラ１００の外観構成］
デジタルカメラ１００の外観構成について図１、２を用いて説明する。図１は、デジタルカメラ１００を前面側斜め方向から示す斜視図である。図２は、デジタルカメラ１００を背面側斜め方向から示す斜視図である。なお、デジタルカメラ１００の前面側とは、デジタルカメラ１００を基準として被写体側をいう。また、デジタルカメラ１００の背面側とは、デジタルカメラ１００を基準として撮影者側をいう。
【００１３】
デジタルカメラ１００は、レンズ鏡筒６１０、モニター５００、操作部材５１０、フロントケース３１０及びリアケース３２０を有する。レンズ鏡筒６１０、モニター５００、及び操作部材５１０は、フロントケース３１０及びリアケース３２０によりデジタルカメラ１００の内部に保持されている。また、フロントケース３１０及びリアケース３２０の一方の端部は、ネジ２１０及びネジ２２０で固定されている。また、フロントケース３１０及びリアケース３２０の他方の端部は不図示のネジにより固定されている。
【００１４】
レンズ鏡筒６１０は、デジタルカメラ１００の前面側から見て右側に偏った位置に配置されている。これは、デジタルカメラ１００の前面側から見て左側に偏った位置に不図示のリチウムイオン電池を装着するための空間が設けられているためである。また、モニター５００は、デジタルカメラ１００の背面側から見て左側に偏った位置に配置されている。これは、デジタルカメラ１００の後方から見て右側に偏った位置には操作部材５１０が配置されているためである。
【００１５】
［２．デジタルカメラ１００の内部構成］
各ケース（フロントケース３１０及びリアケース３２０）、プレート３３０及び本体部品４１０の構成について、図３〜６を用いて説明する。図３は、デジタルカメラ１００を前面側斜め方向から示す分解斜視図である。図４は、デジタルカメラ１００を背面側斜め方向から示す分解斜視図である。図５は、図３のＡ領域の一部拡大図である。図６は、図５に対してフロントケース３１０をプレート３３０に組み付けた図である。
【００１６】
図３、４に示すように、デジタルカメラ１００は、フロントケース３１０、本体部品４１０、プレート３３０、モニター５００、及びリアケース３２０に分解できる。
【００１７】
フロントケース３１０は、デジタルカメラ１００の前面側に設けられるケースである。フロントケース３１０は、アルミニウム合金で構成される。しかしながら、必ずしもこのような材料により構成される必要はない。例えば、フロントケース３１０は、樹脂等で構成されてもよい。フロントケース３１０には、レンズ鏡筒６１０を配置する孔がデジタルカメラ１００の前面側から見て右側に偏った位置に形成されている。また、フロントケース３１０は、孔部３１１及び孔部３１２を有する。
【００１８】
リアケース３２０は、デジタルカメラ１００の背面側に設けられるケースである。リアケース３２０は、アルミニウムや樹脂等の材料で構成できる。また、リアケース３２０には、モニター５００を配置する孔がデジタルカメラ１００の背面側から見て左側に偏った位置に形成されている。また、リアケース３２０は、孔部３２１及び孔部３２２を有する。
【００１９】
プレート３３０は、本体部品４１０の背面側に配置されている。プレート３３０は、ブリキで構成される。しかしながら、必ずしもこのような材料により構成される必要はない。例えば、プレート３３０は、アルミニウム等の金属や樹脂等で構成されてもよい。プレート３３０は、本体部品４１０を覆うように両端部が折れ曲がっている。図４に示すように、プレート３３０は、モニター５００を支持している。モニター５００は、プレート３３０に支持されているので、外部から撮影者等に押圧されたとしても撓みにくい。その結果、モニター５００は割れにくくなっている。また、プレート３３０は、フロントケース３１０とリアケース３２０の間に設けられる電子部品で発生する熱を逃がすために用いられている。更に、プレート３３０は、電子部品のグランドとして利用されている。加えて、プレート３３０は、デジタルカメラ１００全体の剛性を向上するためにも用いられている。
【００２０】
プレート３３０には、図３〜５に示すように、ネジ孔であるバーリングタップ３３１及びバーリングタップ３３２が形成されている。ここで、バーリングタップとは、プレート３３０が本体部品４１０の外側に配置された際に本体部品４１０に対して外向きとなる方向に突出した筒状の締結部の一例である。
【００２１】
バーリングタップの加工方法は次の通りである。まず、プレート３３０のうちバーリングタップを形成したい位置にバーリング加工を施す。ここで、バーリング加工とは、板金等の材料の加工方法である。具体的には、まず、板金の一部分に孔が開けられる。そして、孔に対して孔の内径よりも大きな外径の棒が挿入される。その結果、板金に対してフランジが形成される。このような、板金等に対してフランジを形成する加工方法をバーリング加工という。そして、プレート３３０のうちバーリング加工が施されて突出した部分の内側にタップ加工を施すことで内部にネジ山を切る。これにより、バーリングタップが形成される。
【００２２】
ここで、プレート３３０の外側には、図６に示すように、フロントケース３１０が配置される。この場合には、プレート３３０のバーリングタップ３３１はフロントケース３１０の孔部３１１に遊びがある状態で挿入される。また、図６には示されていないが、プレート３３０のバーリングタップ３３２は、フロントケース３１０の孔部３１２に遊びがある状態で挿入される。なお、バーリングタップ３３１、及びバーリングタップ３３２は、必ずしも遊びがある状態で孔部３１１及び孔部３１２に挿入される必要はない。例えば、バーリングタップ３３１、及びバーリングタップ３３２は、遊びのない状態で孔部３１１及び孔部３１２に挿入されてもよい。
【００２３】
また、フロントケース３１０の外側には、リアケース３２０が配置される。この場合には、リアケース３２０の孔部３２１の軸線とプレート３３０のバーリングタップ３３１の軸線とが実質的に重なる位置に配置される。また、リアケース３２０の孔部３２２の軸線とプレート３３０のバーリングタップ３３２の軸線とが実質的に重なる位置に配置される。そして、リアケース３２０の外側から、ネジ２１０及びネジ２２０が螺着される。つまり、フロントケース３１０とリアケース３２０とは、プレート３３０上において、ネジ２１０及びネジ２２０によって、共締めされている。
【００２４】
なお、本体部品４１０は、電子部材の一例である。プレート３３０は、プレートの一例である。フロントケース３１０は、ケースの一例である。ネジ２１０は、締結部材の一例である。
【００２５】
［３．フロントケース３１０とプレート３３０の構成の詳細］
フロントケース３１０とプレート３３０の構成の詳細について図７〜１２を用いて説明する。図７は、フロントケース３１０とプレート３３０との関係を示す斜視図である。図７においては、フロントケース３１０及びプレート３３０の２部品が組み立てられている。図８は、図７のＢ領域の一部拡大図である。図９は、図７の部分断面図である。図９は、フロントケース３１０の中央付近から背面側斜め方向に向かって切り欠いた断面図である。図１０は、図９のＣ領域の一部拡大図である。図１１は、図７の１１−１１断面図である。図１２は、図１１のＤ領域の一部拡大図である。
【００２６】
図７、８に示すように、フロントケース３１０は、プレート３３０に対して、外側から組み付けられる。
【００２７】
図９、１０に示すように、プレート３３０には、バーリングタップ３３１が、プレート３３０とフロントケース３１０とで形成される内部空間に対して外向きに形成されている。バーリングタップ３３１の内側には、ネジ２１０を螺着可能なネジ山が形成されているネジ面３３１ｄが設けられている。但し、図９、１０においては、便宜上ネジ山を省略して表現している。バーリングタップ３３１は、ネジ面３３１ｄ以外に、側面３３１ｃ、テーパー面３３１ｅ、天面３３１ｆで構成されている。テーパー面３３１ｅは、ネジ２１０をネジ面３３１ｄに導くために形成されている。
【００２８】
一方、フロントケース３１０には、図９、１０に示すように、孔部３１１が背面側に突出して形成されている。孔部３１１は、底面３１１ａ、天面３１１ｂ、及び内側側面３１１ｃで構成されている。内側側面３１１ｃで構成される孔の内径は、側面３３１ｃで構成されるバーリングタップ３３１の外径よりも大きい。孔部３１１の底面３１１ａは、プレート３３０の外周面と接する位置に配置される。
【００２９】
更に、孔部３１１は、図１１、１２に示すように、テーパー３１１ｄを背面側の端部で、かつ、底面３１１ａ側に形成している。これは、バーリングタップ３３１が孔部３１１に挿入される際に、孔部３１１がバーリングタップ３３１を乗り越えることを容易にするために設けられている。
【００３０】
加えて、孔部３１１の孔の軸線は、背面側方向に傾いている。同様にバーリングタップ３３１の孔の軸線は、背面側方向に傾いている。これにより、プレート３３０とフロントケース３１０とがそれぞれ離れる方向に力を受けた場合、底面３１１ａとプレート３３０の外周面とが押し付けられ、より強い摩擦力が生じる。また、側面３３１ｃと内側側面３１１ｃとが当接する。その結果、プレート３３０とフロントケース３１０とが容易には外れないこととなる。
【００３１】
［４．効果等］
以下、本開示の技術をデジタルカメラ１００に適用することによる効果等を図１３〜１６を用いて説明する。図１３は、図１の１３−１３断面図である。図１４は、図１３のＥ領域の一部拡大図である。図１５は、デジタルカメラを背面側斜め方向から示す斜視図である。図１６は、デジタルカメラを前面側斜め方向から示す斜視図である。
【００３２】
図１３、１４に示すように、本開示のデジタルカメラ１００は、本体部品４１０と、プレート３３０と、フロントケース３１０と、ネジ２１０と、を備える。本体部品４１０は、デジタルカメラ１００の内部に収容される。プレート３３０は、本体部品４１０の外側に配置された際に本体部品４１０に対して外向きとなる方向に突出した筒状のバーリングタップ３３１を有する。フロントケース３１０には、バーリングタップ３３１の外径よりも大きな径の孔部３１１が形成され、孔部３１１にバーリングタップ３３１が挿入される。ネジ２１０は、孔部３１１にバーリングタップ３３１が挿入された状態で、フロントケース３１０の外側からバーリングタップ３３１に取り付けられる。そして、バーリングタップ３３１の軸線上に本体部品４１０の一部分であるコンデンサ４１１等が存在する。
【００３３】
これにより、本開示のデジタルカメラ１００は、プレート３３０と本体部品４１０とを比較的近接した位置に配置できる。図１３、１４に示す例では、本体部品４１０のうち特にコンデンサ４１１とプレート３３０とを比較的近接した位置に配置できる。なお、コンデンサ４１１は、バーリングタップ３３１に設けられた孔の軸線上に存在するといえる。また、本開示のデジタルカメラ１００は、組み立て途中において、孔部３１１にバーリングタップ３３１を挿入することにより、本体部品４１０を挟み込んだ状態でフロントケース３１０とプレート３３０とを仮固定できる。結果として、本開示のデジタルカメラ１００は、組み立ての作業性を向上できる。
【００３４】
次に、プレート３３０と本体部品４１０とを比較的近接した位置に配置できる理由について説明する。仮に、プレート３３０に設けられたバーリングタップが本体部品４１０に対して内向きとなる方向に突出していたとする。この場合には、プレート３３０と本体部品４１０とは、少なくともプレート３３０のバーリングタップの長さの分だけ離れた位置に配置されることとなる。その結果、装置全体が大型化してしまう。一方、本開示のデジタルカメラ１００において、筒状のバーリングタップ３３１は、本体部品４１０に対して外向きとなる方向に突出している。そして、外向きに突出したバーリングタップ３３１は、内側側面３１１ｃにより構成される孔の内側に配置される。つまり、バーリングタップ３３１の突出方向の長さは、フロントケース３１０の厚み内に収まる。従って、筐体の厚みをあまり厚くすることなく、プレート３３０と本体部品４１０とを比較的近接した位置に配置できる。
【００３５】
また、さらに具体的には、図１３，１４に示すように、本開示のデジタルカメラ１００において、ネジ２１０は、バーリングタップ３３１に設けられた孔に取り付けられ、バーリングタップ３３１に設けられた孔の軸線上に本体部品４１０の一部分であるコンデンサ４１１が存在する。
【００３６】
これにより、本開示のデジタルカメラ１００は、プレート３３０と本体部品４１０とを比較的近接した位置に配置でき、かつ、プレート３３０と本体部品４１０とを比較的強固に固定できる。
【００３７】
次に、プレート３３０と本体部品４１０とを比較的近接した位置に配置でき、かつ、プレート３３０と本体部品４１０とを比較的強固に固定できる理由について説明する。仮に、プレート３３０に設けられたバーリングタップが本体部品４１０に対して内向きとなる方向に突出していたとする。この場合には、ネジ２１０を締め付けるために必要なネジ山が内向きに設けられることとなる。フロントケース３１０とプレート３３０とを十分にネジ２１０で締め付けるためには、十分なネジ山を確保する必要がある。十分なネジ山を確保するためには、バーリングタップの長さを比較的長く確保することが必要となる。その結果、バーリングタップが長くなり、装置全体が大型化してしまう。一方、本開示のデジタルカメラ１００において、孔を設けられたバーリングタップ３３１は、本体部品４１０に対して外向きとなる方向に突出している。そして、外向きに突出したバーリングタップ３３１は、内側側面３１１ｃにより構成される孔の内側に配置される。従って、バーリングタップの長さを比較的長く確保したとしても、筐体の厚みをあまり厚くすることなく、フロントケース３１０とプレート３３０とを十分にネジ２１０で締め付けることができる。
【００３８】
また、さらに具体的には、図１３、１４に示すように、本開示のデジタルカメラ１００は、フロントケース３１０とリアケース３２０とを有する。また、フロントケース３１０とリアケース３２０とは、ネジ２１０によりバーリングタップ３３１に取り付けられるための孔を有する。
【００３９】
これにより、本開示のデジタルカメラ１００は、組み立てる際に、プレート３３０をフロントケース３１０に組み付けた後、ネジ２１０を螺着する迄の間に、フロントケース３１０でプレート３３０を仮固定できる。
【００４０】
また、さらに具体的には、図１４に示すように、本開示のデジタルカメラ１００において、プレート３３０の端部とフロントケース３１０の端部とは、互いに向かい合う方向を向いている。そして、フロントケース３１０の端部の内側にテーパー３１１ｄが形成されている。フロントケース３１０を前面側から背面側に移動させることで、フロントケース３１０のテーパー３１１ｄがプレート３３０のバーリングタップ３３１を乗り越える。これにより、フロントケース３１０の孔にバーリングタップ３３１が遊びを有した状態で挿入される。
【００４１】
これにより、プレート３３０のバーリングタップ３３１に対して、フロントケース３１０の孔部３１１を掛け合わせる際において、テーパー３１１ｄでバーリングタップ３３１の乗り越えが容易になるように構成している。したがって、フロントケース３１０に対してプレート３３０を組み付ける際に、容易に組み付けることができる。
【００４２】
また、さらに具体的には、図１０に示すように、本開示のデジタルカメラ１００において、バーリングタップ３３１に設けられた孔の周囲には、ネジ２１０を内部に導くテーパー面３３１eが形成されている。
【００４３】
これにより、デジタルカメラ１００を組み立てる際に、バーリングタップ３３１に設けられた孔にネジ２１０を容易に挿入できる。
【００４４】
また、さらに具体的には、図１５に示すように、本開示のデジタルカメラ１００は、画像を表示するモニター５００であって、デジタルカメラ１００の１つの面上において、面の中央（図１５に示すα）から一方向（図１５の例では左）に偏った位置にモニター５００の中央（図１５に示すβ）が位置するように配置されたモニター５００をさらに備える。そして、バーリングタップ３３１は、プレート３３０上において、プレート３３０の中央からモニター５００と同一の方向（図１５の例では左）に偏った位置に設けられている。
【００４５】
これにより、プレート３３０のうち、位置決め精度が求められるモニター５００が配置される位置の近傍で、バーリングタップ３３１により、フロントケース３１０とプレート３３０との仮固定を行える。その結果、デジタルカメラ１００は、モニター５００の位置決め精度を向上できる。
【００４６】
また、さらに具体的には、図１６に示すように、本開示のデジタルカメラ１００は、フロントケース３１０とリアケース３２０とからなるケース全体は、被写体を結像する光学系を含むレンズ鏡筒６１０が配置される第１の空間Ｇと、デジタルカメラ１００を駆動するための電力を供給するリチウムイオン電池が配置される第２の空間Ｆと、を形成する。プレート３３０は、フロントケース３１０とリアケース３２０とからなるケース全体に組み込まれた際に、第２の空間よりも第１の空間に近い位置に配置される部分にバーリングタップ３３１を有する。
【００４７】
これにより、プレート３３０のうち、位置決め精度が求められるレンズ鏡筒６１０が配置される位置の近傍で、バーリングタップ３３１により、フロントケース３１０とプレート３３０との仮固定を行える。その結果、デジタルカメラ１００は、レンズ鏡筒６１０の位置決め精度を向上できる。
【００４８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００４９】
そこで、以下、他の実施の形態を例示する。
【００５０】
実施の形態１では、締結部の一例として、孔を設けたバーリングタップ３３１、バーリングタップ３３２を例示した。しかしながら、必ずしもこのような構成には限定されない。例えば、締結部は、孔を設けていない突起のようなものであってもよい。これにより、締結部に対して孔を空ける加工の手間を省ける。この場合には、ネジ２１０、ネジ２２０の代わりに、突起を覆うキャップのようなものを用いてもよい。若しくは、ネジ２１０、ネジ２２０を用いずに、単にプレート３３０の剛性を利用し、プレート３３０とフロントケース３１０とが外れないように構成してもよい。要するに、締結部は、プレート３３０が本体部品４１０の外側に配置された際に本体部品４１０に対して外向きとなる方向に突出していればよい。
【００５１】
また、実施の形態１では、バーリングタップ３３１及びバーリングタップ３３２は、プレート３３０のうち、デジタルカメラ１００の前面から見て右側の端部付近に配置されている。しかしながら、必ずしもこのような構成には限定されない。例えば、バーリングタップ３３１及びバーリングタップ３３２は、プレート３３０のうち、デジタルカメラ１００の前面から見て上側の端部付近や、下側の端部付近であって、モニター５００と同一の方向に偏った位置に配置されてもよい。これにより、デジタルカメラ１００の水平方向の長さをより短くできる。この場合には、孔部３１１、孔部３１２、孔部３２１、及び孔部３２２もデジタルカメラ１００の前面から見て上側の端部付近や、下側の端部付近であって、モニター５００と同一の方向に偏った位置に配置されることとなる。要するに、バーリングタップは、プレート３３０上において、プレート３３０の中央からモニター５００と同一の方向に偏った位置に設けられればよい。
【００５２】
また、実施の形態１では、プレート３３０に設けられたバーリングタップ３３１をフロントケース３１０に設けられた孔部３１１に挿入する構成を例示した。しかしながら、必ずしもこのような構成には限定されない。例えば、プレート３３０に設けられたバーリングタップ３３１をリアケースに設けられた孔部に挿入するような構成であってもよい。この場合には、リアケースの外側にフロントケースが配置される。そして、フロントケースの外側からネジが螺着される。
【００５３】
また、実施の形態１では、バーリングタップ３３１を本体部品４１０に対して外向きに形成した。しかしながら、必ずしもこのような構成に限定されない。例えば、プレート３３０の内側への移動を規制する規制部材を設けるようにしてもよい。これにより、ネジ２１０を外側から螺着する際、バーリングタップ３３１が内側に押し付けられ、プレート３３０の形状が変化してしまう可能性を低減できる。
【００５４】
以上のように、本開示における技術の例示として、実施の形態を説明した。そのために、添付図面および詳細な説明を提供した。
【００５５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５６】
また、上述の実施の形態は、本開示における技術を例示するためのものであるから、請求の範囲またはその均等の範囲において種々の変更、置き換え、付加、省略などを行うことができる。
【産業上の利用可能性】
【００５７】
本開示は、デジタルスチルカメラ、ミラーレスカメラ、一眼レフカメラ、スマートフォン等に適用可能である。
【符号の説明】
【００５８】
１００    デジタルカメラ
２１０    ネジ
２２０    ネジ
３１０    フロントケース
３２０    リアケース
３３０    プレート
３３１    バーリングタップ
３３２    バーリングタップ
４１０    本体部品
３１１    孔部
３１２    孔部
３２１    孔部
３２２    孔部
４１１    コンデンサ
５００    モニター
５１０    操作部材
６１０    レンズ鏡筒
【手続補正２】
【補正対象書類名】特許請求の範囲
【補正対象項目名】全文
【補正方法】変更
【補正の内容】
【特許請求の範囲】
【請求項１】
電子部材と、
前記電子部材の外側に配置された際に前記電子部材に対して外向きとなる方向に突出した筒状の締結部を有するプレートと、
前記締結部の外径よりも大きな径の孔が形成され、前記孔に前記締結部が挿入されるケースと、
前記孔に前記締結部が挿入された状態で、前記ケースの外側から前記締結部に取り付けられる締結部材と、を備え、
前記締結部の軸線上に前記電子部材の一部分が存在する、
電子機器。
【請求項２】
前記締結部材は、前記締結部に設けられた孔に取り付けられ、
前記締結部に設けられた孔の軸線上に前記電子部材の一部分が存在する、
請求項１に記載の電子機器。
【請求項３】
前記締結部に設けられた孔の周囲には、前記締結部材を内部に導くテーパーが形成されている、
請求項２に記載の電子機器。
【請求項４】
前記ケースは、フロントケースとリアケースとを有し、
前記フロントケースと前記リアケースとは、前記締結部材により前記締結部に取り付けられるための孔を有する、
請求項１に記載の電子機器。
【請求項５】
前記プレートの端部と前記ケースの端部とは、互いに向かい合う方向を向いており、
前記ケースの端部の内側にテーパーが形成されており、
当該ケースの前記テーパーが前記プレートの前記締結部を乗り越えることで、前記ケースの前記孔が前記締結部に嵌め合わされる、
請求項１に記載の電子機器。
【請求項６】
画像を表示するモニターであって、前記電子機器の１つの面上において、前記面の中央から一方向に偏った位置に前記モニターの中央が位置するように配置されたモニター、をさらに備え、
前記締結部は、前記プレート上において、前記プレートの中央から前記一方向と同一の方向に偏った位置に設けられている、
請求項１に記載の電子機器。
【請求項７】
前記ケースは、被写体を結像する光学系を含むレンズ鏡筒が配置される第１の空間と、前記電子機器を駆動するための電力を供給する電源部が配置される第２の空間と、を形成し、
前記プレートは、前記ケースに組み込まれた際に、前記第２の空間よりも前記第１の空間に近い位置に配置される部分に前記締結部を有する、
請求項１に記載の電子機器。
【請求項８】
前記プレートの内側に配置され、前記締結部材によって前記プレートが内側へ移動することを規制する規制部材を、さらに備える、
請求項１に記載の電子機器。
【手続補正３】
【補正対象書類名】図面
【補正対象項目名】全図
【補正方法】変更
【補正の内容】
【図１】
2014122699.tif 000019
【図２】
2014122699.tif 000020
【図３】
2014122699.tif 000021
【図４】
2014122699.tif 000022
【図５】
2014122699.tif 000023
【図６】
2014122699.tif 000024
【図７】
2014122699.tif 000025
【図８】
2014122699.tif 000026
【図９】
2014122699.tif 000027
【図１０】
2014122699.tif 000028
【図１１】
2014122699.tif 000029
【図１２】
2014122699.tif 000030
【図１３】
2014122699.tif 000031
【図１４】
2014122699.tif 000032
【図１５】
2014122699.tif 000033
【図１６】
2014122699.tif 000034
【国際調査報告】
2014122699.tif 000035
2014122699.tif 000036
2014122699.tif 000037
2014122699.tif 000038